(57)【要約】【課題】ドレン本体の筒体からパイプ材が脱落することによってドレン本体の筒体が変形することを防止して、ドレン本体の筒体（パイプ材）内において排水がスムーズに流通する状態を確保することができる技術を提供することを課題とする。【解決手段】筒体２０と、筒体２０の一端外周に配置される鍔体２１と、を備え、軟質樹脂素材で構成される、ドレン本体２と、一端３１側を筒体２０の一端側に向けるとともに他端３０側を筒体２０の他端側に向けて筒体２０内に配置されて、筒体２０が変形することを防止する、パイプ材３と、を具備する、排水用ドレン１であって、ドレン本体２の筒体２０は、筒体２０からパイプ材３が脱落することを防止する脱落防止部を有する。【選択図】図１
2014031626.tif 000002
【特許請求の範囲】
【請求項１】
筒体と、前記筒体の一端外周に配置される鍔体と、を備え、軟質樹脂素材で構成される、ドレン本体と、
一端側を前記ドレン本体の筒体の一端側に向けるとともに他端側を前記ドレン本体の筒体の他端側に向けて前記ドレン本体の筒体内に配置されて、前記ドレン本体の筒体が変形することを防止する、パイプ材と、
を具備する、排水用ドレンであって、
前記ドレン本体の筒体は、前記ドレン本体の筒体から前記パイプ材が脱落することを防止する脱落防止部を有する、
排水用ドレン。
【請求項２】
前記ドレン本体の筒体は、前記ドレン本体の筒体内に他端側段差部を有し、
前記ドレン本体の筒体の脱落防止部は、前記パイプ材の他端が前記ドレン本体の筒体の他端側段差部に当接するように前記パイプ材が前記ドレン本体の筒体内に配置されて、前記ドレン本体の筒体から前記パイプ材が脱落することを防止するように構成される、
請求項１に記載の排水用ドレン。
【請求項３】
前記ドレン本体の筒体は、前記ドレン本体の筒体内に一端側段差部を有し、
前記パイプ材が、前記パイプ材の一端が前記ドレン本体の筒体の一端側段差部に当接するように、前記ドレン本体の筒体内に配置される、
請求項１または請求項２に記載の排水用ドレン。
【請求項４】
前記ドレン本体の筒体は、他の部分よりも前記ドレン本体の筒体の内経が拡径されて厚みが薄くなるように形成されて構成される凹部を前記ドレン本体の筒体内に有し、
前記パイプ材は、前記ドレン本体の筒体の凹部に嵌め込まれるようにして前記ドレン本体の筒体内に配置される、
請求項１から請求項３のいずれか一項に記載の排水用ドレン。
【発明の詳細な説明】
【技術分野】
【０００１】
本発明は、排水用ドレンの技術に関する。
【背景技術】
【０００２】
従来、ビルやマンション等の建築物の屋上や各階のベランダの排水孔に設けられる、排水用ドレンの技術は種々知られている。
前記排水用ドレンのドレン本体は、筒体と、筒体の一端外周に配置される鍔体と、を備えて構成される。
前記排水用ドレンは、ドレン本体の筒体が排水孔内に配置されるとともにドレン本体の鍔体が排水孔の外側に配置されて、排水孔に設けられる（特許文献１参照）。
前記排水用ドレンには、排水孔に設けられた状態でストレーナーが取付けられる。ストレーナーは、その板バネがドレン本体の筒体内に配置されるとともに、そのキャップがドレン本体の鍔体に当接するように配置されて、前記排水用ドレンに取付けられる。
そして、前記排水用ドレンは、ストレーナーで異物が取除かれた排水をドレン本体の鍔体側から筒体内に流入させ、当該排水を筒体内で流通させるように構成される。
【０００３】
また、前記排水用ドレンのドレン本体には、軟質樹脂（軟質塩化ビニール樹脂）素材で構成されるものがある。
前記排水用ドレンのドレン本体が軟質樹脂素材で構成される場合には、例えば、硬質樹脂（硬質塩化ビニール樹脂）素材で構成されるパイプ材がドレン本体の筒体内に配置されて、ストレーナーの板バネによって外側に押圧されることによってドレン本体の筒体が変形すること、を防止している。
【先行技術文献】
【特許文献】
【０００４】
【特許文献１】特開２０１２−２６２４１号公報
【発明の概要】
【発明が解決しようとする課題】
【０００５】
しかしながら、ドレン本体が軟質樹脂素材で構成される前記排水用ドレンでは、ドレン本体の筒体からパイプ材が脱落して、ストレーナーの板バネによって外側に押圧されてドレン本体の筒体が変形する場合がある。
このように、ドレン本体が軟質樹脂素材で構成される前記排水用ドレンでは、ドレン本体の筒体からパイプ材が脱落することによってドレン本体の筒体が変形すると、ドレン本体の筒体内が屈曲し、また、ドレン本体の筒体内の容積が小さくなって、ドレン本体の筒体内において排水がスムーズに流通しなくなる場合がある。
【０００６】
本発明は以上の如き状況に鑑みてなされたものであり、ドレン本体の筒体からパイプ材が脱落することによってドレン本体の筒体が変形することを防止して、ドレン本体の筒体（パイプ材）内において排水がスムーズに流通する状態を確保することができる技術を提供することを課題とする。
【課題を解決するための手段】
【０００７】
本発明の解決しようとする課題は以上の如くであり、次にこの課題を解決するための手段を説明する。
【０００８】
即ち、請求項１においては、筒体と、前記筒体の一端外周に配置される鍔体と、を備え、軟質樹脂素材で構成される、ドレン本体と、一端側を前記ドレン本体の筒体の一端側に向けるとともに他端側を前記ドレン本体の筒体の他端側に向けて前記ドレン本体の筒体内に配置されて、前記ドレン本体の筒体が変形することを防止する、パイプ材と、を具備する、排水用ドレンであって、前記ドレン本体の筒体は、前記ドレン本体の筒体から前記パイプ材が脱落することを防止する脱落防止部を有するものである。
【０００９】
請求項２においては、前記ドレン本体の筒体は、前記ドレン本体の筒体内に他端側段差部を有し、前記ドレン本体の筒体の脱落防止部は、前記パイプ材の他端が前記ドレン本体の筒体の他端側段差部に当接するように前記パイプ材が前記ドレン本体の筒体内に配置されて、前記ドレン本体の筒体から前記パイプ材が脱落することを防止するように構成されるものである。
【００１０】
請求項３においては、前記ドレン本体の筒体は、前記ドレン本体の筒体内に一端側段差部を有し、前記パイプ材が、前記パイプ材の一端が前記ドレン本体の筒体の一端側段差部に当接するように、前記ドレン本体の筒体内に配置されるものである。
【００１１】
請求項４においては、前記ドレン本体の筒体は、他の部分よりも前記ドレン本体の筒体の内経が拡径されて厚みが薄くなるように形成されて構成される凹部を前記ドレン本体の筒体内に有し、前記パイプ材は、前記ドレン本体の筒体の凹部に嵌め込まれるようにして前記ドレン本体の筒体内に配置されるものである。
【発明の効果】
【００１２】
本発明の効果として、以下に示すような効果を奏する。
【００１３】
即ち、本発明によれば、ドレン本体の筒体からパイプ材が脱落することによってドレン本体の筒体が変形することを防止して、ドレン本体の筒体（パイプ材）内において排水がスムーズに流通する状態を確保することができる。
【図面の簡単な説明】
【００１４】
【図１】本発明の実施形態に係る排水用ドレンの排水孔に設けられた状態を示した断面図。
【図２】同じく排水用ドレンの全体的な構成を示した斜視図。
【図３】同じく排水用ドレンの全体的な構成を示した斜視図。
【図４】同じく排水用ドレンの排水孔に設けられた状態を示した部分拡大断面図。
【図５】同じく排水用ドレンの排水孔に設けられた状態を示した部分拡大断面図。
【図６】同じく別実施例の排水用ドレンの排水孔に設けられた状態を示した断面図。
【図７】同じく別実施例の排水用ドレンの排水孔に設けられた状態を示した部分拡大断面図。
【図８】同じく別実施例の排水用ドレンの排水孔に設けられた状態を示した部分拡大断面図。
【発明を実施するための形態】
【００１５】
次に、発明の実施形態に係る排水用ドレン１について、図１から図８を用いて説明する。
【００１６】
排水用ドレン１は、図１に示すように、ビルやマンション等の建築物の屋上や各階のベランダの排水孔４に設けられるものである。排水用ドレン１は、排水孔４に設けられた状態でストレーナーが取付けられるように構成される。
排水用ドレン１は、図２または図３に示すように、ドレン本体２と、パイプ材３と、を具備する。
【００１７】
排水用ドレン１のドレン本体２は、軟質樹脂（軟質塩化ビニール樹脂）素材で構成される。
排水用ドレン１のドレン本体２は、円筒状に構成される筒体２０と、筒体２０の一端外周に配置される円盤状に構成される鍔体２１と、を備える。
排水用ドレン１のドレン本体２は、筒体２０と鍔体２１との境界部分がＲ状に形成されて構成される。
【００１８】
排水用ドレン１のパイプ材３は、円筒状に構成される。排水用ドレン１のパイプ材３は、例えば、硬質樹脂（硬質塩化ビニール樹脂）素材またはステンレス鋼素材等で構成される。
排水用ドレン１のパイプ材３は、排水用ドレン１に取付けられるストレーナーの板バネによってドレン本体２の筒体２０の内面が外側に押圧されることによってドレン本体２の筒体２０が変形すること、を防止するものである。
排水用ドレン１のパイプ材３は、パイプ材３の一端３１側を筒体２０の一端側に向けるとともにパイプ材３の他端３０側を筒体２０の他端側に向けて、筒体２０内に配置される。
排水用ドレン１のパイプ材３は、パイプ材３の一端３１側がドレン本体２の筒体２０と鍔体２１との境界部分におけるＲ状に形成される部分の近傍に位置するとともに、パイプ材３の他端３０側がドレン本体２の筒体２０の他端側の開口の近傍に位置するように筒体２０内に配置される。
排水用ドレン１のパイプ材３は、ドレン本体２の筒体２０と鍔体２１との境界部分におけるＲ状に形成される部分よりも筒体２０の他端側から、ドレン本体２の筒体２０の他端側の開口近傍に亘って、配置される。
【００１９】
排水用ドレン１は、ドレン本体２の筒体２０が排水孔４内に配置されるとともにドレン本体２の鍔体２１が排水孔４の外側に配置されて、排水孔４に設けられる（図１参照）。
このように排水孔４に設けられる排水用ドレン１には、ストレーナー（不図示）が取付けられる。このとき、ストレーナーの板バネがパイプ材３の内面を外側に押圧するようにパイプ材３内に配置されるとともに、ストレーナーのキャップがドレン本体２の鍔体２１に当接するように配置されて、ストレーナーが排水用ドレン１に取付けられる。
【００２０】
排水用ドレン１におけるドレン本体２の筒体２０は、脱落防止部２２を有する。
排水用ドレン１におけるドレン本体２の筒体２０の脱落防止部２２は、ドレン本体２の筒体２０からパイプ材３が脱落することを防止するものである。
【００２１】
このように、排水用ドレン１は、ドレン本体２の筒体２０からパイプ材３が脱落することを防止する脱落防止部２２をドレン本体２の筒体２０が有して構成される。
このため、排水用ドレン１では、ドレン本体２の筒体２０内のパイプ材３がドレン本体２の筒体２０から脱落することによって排水用ドレン１に取付けられるストレーナーの板バネによって押圧されてドレン本体２の筒体２０が変形すること、を防止することができる。
したがって、排水用ドレン１によれば、ドレン本体２の筒体２０からパイプ材３が脱落することによってドレン本体２の筒体２０が変形することを防止して、ドレン本体２の筒体２０（パイプ材３）内において排水がスムーズに流通する状態を確保することができる。
【００２２】
排水用ドレン１におけるドレン本体２の筒体２０は、図１、図２または図４に示すように、ドレン本体２の筒体２０内に他端側段差部２３を有する。
排水用ドレン１におけるドレン本体２の筒体２０の他端側段差部２３は、ドレン本体２の筒体２０の他端側の開口近傍に配置される。
排水用ドレン１におけるドレン本体２の筒体２０の他端側段差部２３は、ドレン本体２の筒体２０内のパイプ材３の他端３０が当接するように構成される。
排水用ドレン１におけるドレン本体２の筒体２０の他端側段差部２３は、ドレン本体２の筒体２０の他端側の開口近傍の内面がドレン本体２の筒体２０の半径方向外側に窪むように形成されて構成される。
排水用ドレン１におけるドレン本体２の筒体２０の他端側段差部２３は、ドレン本体２の筒体２０の内面が角張って窪むように形成されて、ドレン本体２の筒体２０の一端側方向を向く面が形成されるように構成される。排水用ドレン１におけるドレン本体２の筒体２０の他端側段差部２３は、ドレン本体２の筒体２０の内面が角張って窪むように形成されて、ドレン本体２の筒体２０の軸心方向と直交する面が形成されるように構成される。
【００２３】
排水用ドレン１のパイプ材３は、パイプ材３の他端３０がドレン本体２の筒体２０の他端側段差部２３（前記他端側段差部２３における筒体２０の軸心方向と直交する面）に当接するように、ドレン本体２の筒体２０内に配置される。
排水用ドレン１のドレン本体２の筒体２０の脱落防止部２２は、このようにパイプ材３の他端３０がドレン本体２の筒体２０の他端側段差部２３に当接するようにパイプ材３がドレン本体２の筒体２０内に配置されて、ドレン本体２の筒体２０からパイプ材３が脱落することを防止するように構成される。
このため、排水用ドレン１では、ドレン本体２の筒体２０内のパイプ材３がドレン本体２の筒体２０の他端側の開口から脱落することを防止することができる。
特に、排水用ドレン１が縦引き用として用いられる場合には、ドレン本体２の筒体２０内のパイプ材３がドレン本体２の筒体２０の他端側の開口から下方に脱落することを確実に防止することができる。
【００２４】
排水用ドレン１におけるドレン本体２の筒体２０は、図１、図２または図５に示すように、ドレン本体２の筒体２０内に一端側段差部２４を有する。
排水用ドレン１におけるドレン本体２の筒体２０の一端側段差部２４は、ドレン本体２の筒体２０と鍔体２１との境界部分におけるＲ状に形成される部分の近傍に配置される。排水用ドレン１におけるドレン本体２の筒体２０の一端側段差部２４は、ドレン本体２の筒体２０と鍔体２１との境界部分におけるＲ状に形成される部分よりも筒体２０の他端側に配置される。
排水用ドレン１におけるドレン本体２の筒体２０の一端側段差部２４は、ドレン本体２の筒体２０内のパイプ材３の一端３１が当接するように構成される。
排水用ドレン１におけるドレン本体２の筒体２０の一端側段差部２４は、ドレン本体２の筒体２０と鍔体２１との境界部分におけるＲ状に形成される部分の近傍の内面がドレン本体２の筒体２０の半径方向外側に窪むように形成されて構成される。
排水用ドレン１におけるドレン本体２の筒体２０の一端側段差部２４は、ドレン本体２の筒体２０の内面が角張って窪むように形成されて、ドレン本体２の筒体２０の他端側方向を向く面が形成されるように構成される。排水用ドレン１におけるドレン本体２の筒体２０の一端側段差部２４は、ドレン本体２の筒体２０の内面が角張って窪むように形成されて、ドレン本体２の筒体２０の軸心方向と直交する面が形成されるように構成される。
【００２５】
排水用ドレン１のパイプ材３は、パイプ材３の一端３１がドレン本体２の筒体２０の一端側段差部２４（前記一端側段差部２４における筒体２０の軸心方向と直交する面）に当接するように、ドレン本体２の筒体２０内に配置される。
このため、排水用ドレン１では、パイプ材３の一端３１の外側端（外周）がドレン本体２の筒体２０の一端側段差部２４の内側端よりも外側に位置し、ドレン本体２の筒体２０とパイプ材３の一端３１の外側端との間がドレン本体２の筒体２０の一端側段差部２４によって塞がれた状態となる。
したがって、排水用ドレン１によれば、ドレン本体２の筒体２０とパイプ材３の一端３１の外側端との間からドレン本体２の筒体２０とパイプ材３との間に異物（排水や塵芥等）が侵入すること、を防止することができる。
よって、排水用ドレン１によれば、ドレン本体２の筒体２０とパイプ材３との間に異物が侵入することによってドレン本体２の筒体２０が変形してドレン本体２の筒体２０からパイプ材３が脱落し易くなること、を防止することができる。
【００２６】
排水用ドレン１におけるドレン本体２の筒体２０は、図１乃至図５に示すように、ドレン本体２の筒体２０内に凹部２５を有する。
排水用ドレン１におけるドレン本体２の筒体２０の凹部２５は、ドレン本体２の筒体２０内においてパイプ材３が配置されるように構成される。
排水用ドレン１におけるドレン本体２の筒体２０の凹部２５は、ドレン本体２の筒体２０における内面の一部が筒体２０の内面の全周に亘って凹状に窪むように形成されて構成される。排水用ドレン１におけるドレン本体２の筒体２０の凹部２５は、ドレン本体２の筒体２０と鍔体２１との境界部分におけるＲ状に形成される部分よりも筒体２０の他端側から、ドレン本体２の筒体２０の他端側の開口近傍に亘って、形成される。
【００２７】
排水用ドレン１におけるドレン本体２の筒体２０の凹部２５は、他の部分（筒体２０における凹部２５が形成される部分以外の部分）よりもドレン本体２の筒体２０の内経が拡径するように形成されて構成される。排水用ドレン１におけるドレン本体２の筒体２０の凹部２５は、他の部分（筒体２０における凹部２５が形成される部分以外の部分）よりもドレン本体２の筒体２０の厚みが薄くなるように形成されて構成される。排水用ドレン１におけるドレン本体２の筒体２０の凹部２５は、筒体２０の凹部２５の厚みが他の部分（筒体２０における凹部２５が形成される部分以外の部分）の厚みの略半分となるように構成される。排水用ドレン１におけるドレン本体２の筒体２０の凹部２５は、筒体２０の凹部２５の厚みが略１ｍｍとなるように構成される。
【００２８】
このように、排水用ドレン１におけるドレン本体２の筒体２０の凹部２５は、他の部分よりもドレン本体２の筒体２０の内経が拡径されて厚みが薄くなるように形成されて構成される。
そして、排水用ドレン１におけるパイプ材３は、ドレン本体２の筒体２０の凹部２５に嵌め込まれるようにして筒体２０内に配置される。
このため、排水用ドレン１では、ドレン本体２の筒体２０が凹部２５を有さないものに比べて、厚みが同じで大きい内経のパイプ材３を、ドレン本体２の筒体２０に配置することができる。
したがって、排水用ドレン１によれば、ドレン本体２の筒体２０が凹部２５を有さないものに比べて、パイプ材３の強度を確保しつつパイプ材３の内径を大きくして、ドレン本体２の筒体２０（パイプ材３）内においてよりスムーズに排水を流通させることができる。
【００２９】
排水用ドレン１におけるドレン本体２の筒体２０の凹部２５の一端側は、ドレン本体２の筒体２０内のパイプ材３の一端３１が当接するように構成される。
つまり、排水用ドレン１におけるドレン本体２の筒体２０の凹部２５の一端側は、ドレン本体２の筒体２０の一端側段差部２４として構成される。
このため、排水用ドレン１によれば、ドレン本体２の筒体２０が凹部２５を有さないものに比べて、パイプ材３の強度を確保しつつパイプ材３の内径を大きくしてドレン本体２の筒体２０（パイプ材３）内においてよりスムーズに排水を流通させることができるとともに、これが縦引き用として用いられる場合にはドレン本体２の筒体２０内のパイプ材３がドレン本体２の筒体２０の他端側の開口から（下方に）脱落することを確実に防止することができる。
【００３０】
排水用ドレン１におけるドレン本体２の筒体２０の凹部２５の一端側は、ドレン本体２の筒体２０内のパイプ材３の一端３１が当接するように構成される。
つまり、排水用ドレン１におけるドレン本体２の筒体２０の凹部２５の一端側は、ドレン本体２の筒体２０の一端側段差部２４として構成される。
このため、排水用ドレン１によれば、ドレン本体２の筒体２０が凹部２５を有さないものに比べて、パイプ材３の強度を確保しつつパイプ材３の内径を大きくしてドレン本体２の筒体２０（パイプ材３）内においてよりスムーズに排水を流通させることができるとともに、ドレン本体２の筒体２０とパイプ材３との間に異物が侵入することによってドレン本体２の筒体２０が変形してドレン本体２の筒体２０からパイプ材３が脱落し易くなることを防止することができる。
【００３１】
なお、排水用ドレン１は、既設の排水用ドレンの改修用として用いることもできる。
【００３２】
また、排水用ドレン１は、図６乃至図８に示すように、パイプ材３の厚みを薄くして構成することもできる。
排水用ドレン１は、ドレン本体２における筒体２０の凹部２５が形成されていない部分の内面からパイプ材３の内面が内側に突出しないように構成される。排水用ドレン１は、ドレン本体２における筒体２０の凹部２５が形成されていない部分の内面からパイプ材３の内面が内側に突出しないように構成される。
このようにして排水用ドレン１では、より大きい内経のパイプ材３がドレン本体２の筒体２０に配置される。
したがって、排水用ドレン１によれば、パイプ材３の強度を確保しつつパイプ材３の内径をより大きくして、ドレン本体２の筒体２０（パイプ材３）内においてよりスムーズに排水を流通させることができる。
【符号の説明】
【００３３】
１    排水用ドレン
２    ドレン本体
３    パイプ材
４    排水孔
２０  筒体
２１  鍔体
２２  脱落防止部
【図１】
2014031626.tif 000003
【図２】
2014031626.tif 000004
【図３】
2014031626.tif 000005
【図４】
2014031626.tif 000006
【図５】
2014031626.tif 000007
【図６】
2014031626.tif 000008
【図７】
2014031626.tif 000009
【図８】
2014031626.tif 000010